(57)【要約】【課題】騒音や振動の発生を抑えることができる杭抜取り方法および杭抜取り補助装置を提供する。【解決手段】筒体１０は、杭１を包囲可能な大きさであって、外周に長さ方向に伸びる回転用係合部１１と排土用貫通孔１３と螺旋状の排土用羽根１４と給水管１５とを有し、下端に挿入用爪１２を有している。給水管１５は、筒体１０の長さ方向に沿って設けられ、放水ホースを接続可能な上端部と筒体１０の下方に水を噴射可能な下端部とを有している。回転装置２０は、車両から水平方向に伸びており、筒体１０を挿入させる挿入孔２３ａを有し、挿入孔２３ａの内周に回転用係合部１１と係合して動力により回転可能な駆動側係合部２３ｂを有している。土中の杭１を抜き取るには、杭１の周囲に筒体１０を被せるよう埋め込んで、筒体１０の下方に水を噴射しながら筒体１０を杭１の周囲で回転させる。杭１が回転した後、筒体１０を引き抜き、次に、杭１を引き抜く。【選択図】図１
2005200977.tif 000002
【特許請求の範囲】
【請求項１】
土中の杭を抜き取る方法であって、筒体を杭の周囲に被せるよう埋め込んで前記杭の周囲で回転させた後、前記杭を引き抜くことを特徴とする杭抜取り方法。
【請求項２】
土中の杭を抜き取る方法であって、杭の周囲に筒体を被せて前記筒体の下方に水を噴射しながら前記筒体を前記杭の周囲で回転させ、前記杭が回転した後、前記筒体を引き抜き、次に、前記杭を引き抜くことを特徴とする杭抜取り方法。
【請求項３】
土中の杭を抜き取る前段階で杭の周囲の土を軟化させるための杭抜取り補助装置であって、
筒体と、前記筒体を回転させる回転装置とを有し、
前記筒体は杭を包囲可能な大きさであって、外周に長さ方向に伸びる回転用係合部を有し、下端に挿入用爪を有し、
前記回転装置は前記回転用係合部と係合して前記筒体を動力により回転させる構成を有することを、
特徴とする杭抜取り補助装置。
【請求項４】
前記筒体は外周に排土用貫通孔と螺旋状の排土用羽根と給水管とを有し、前記給水管は前記筒体の長さ方向に沿って設けられ、放水ホースを接続可能な上端部と前記筒体の下方に水を噴射可能な下端部とを有することを、特徴とする請求項３記載の杭抜取り補助装置。
【請求項５】
前記回転装置は車両から水平方向に伸びており、前記筒体を挿入させる挿入孔を有し、前記挿入孔の内周に前記回転用係合部と係合して動力により回転可能な駆動側係合部を有することを、特徴とする請求項４記載の杭抜取り補助装置。
【発明の詳細な説明】
【技術分野】
【０００１】
本発明は、土中の杭を抜き取る杭抜取り方法および杭抜取り補助装置に関する。
【背景技術】
【０００２】
従来、土中に埋設されている杭を抜き取る方法として、振動発生装置としての杭打抜機と上下方向に長い矢板とその下端に取り付けられたパイプとを有し、杭にパイプを外嵌させながら、杭打抜機により上下方向に振動を与えつつ矢板およびパイプを地中に打ち込み、杭と周囲の土との摩擦抵抗を減少させて杭を引き抜くものがある（例えば、特許文献１参照）。また、鋼管矢板等の杭に近接してコ字状杭をバイブロハンマーで打ち込み、バイブロハンマーにより振動を与えながら、ジェット水の噴射によりコ字状杭内を掘削し、鋼管矢板等の杭を引き抜くものもある（例えば、特許文献２参照）。
【０００３】
【特許文献１】特開平５−２７２１３８号公報
【特許文献２】特開平６−２４０６７０号公報
【発明の開示】
【発明が解決しようとする課題】
【０００４】
しかしながら、特許文献１および２記載の方法は、矢板やコ字状杭を打ち込むとき、杭打抜機やバイブロハンマーにより騒音および振動を発生するという課題があった。
【０００５】
本発明は、このような課題に着目してなされたもので、騒音や振動の発生を抑えることができる杭抜取り方法および杭抜取り補助装置を提供することを目的としている。
【課題を解決するための手段】
【０００６】
上記目的を達成するために、第１の本発明に係る杭抜取り方法は、土中の杭を抜き取る方法であって、筒体を杭の周囲に被せるよう埋め込んで前記杭の周囲で回転させた後、前記杭を引き抜くことを特徴とする。
【０００７】
第１の本発明に係る杭抜取り方法では、筒体を杭の周囲に被せるように埋め込むことにより、筒体の内部の土と外部の土とを分離する。さらに、筒体を杭の周囲で回転させることにより、筒体の内部の杭の周囲の土を攪拌して軟化させ、杭と周囲の土との摩擦力を低下させる。これにより、杭を容易に引き抜くことができる。第１の本発明に係る杭抜取り方法は、杭打抜機やバイブロハンマーなどの振動発生装置を使用しなくともよいため、騒音や振動の発生を抑えることができる。
【０００８】
第２の本発明に係る杭抜取り方法は、土中の杭を抜き取る方法であって、杭の周囲に筒体を被せて前記筒体の下方に水を噴射しながら前記筒体を前記杭の周囲で回転させ、前記杭が回転した後、前記筒体を引き抜き、次に、前記杭を引き抜くことを特徴とする。
【０００９】
第２の本発明に係る杭抜取り方法では、筒体の下方に水を噴射しながら筒体を杭の周囲で回転させることにより、杭の周囲の土を水とともに攪拌して泥状にし軟化させる。これにより、杭と周囲の土との摩擦力を効率的に低下させることができる。さらに、杭が回転した後に筒体と杭とを引き抜くことにより、杭が容易に引き抜ける状態になったことを確認し、効率的に杭を引き抜くことができる。第２の本発明に係る杭抜取り方法は、杭打抜機やバイブロハンマーなどの振動発生装置を使用しなくともよいため、騒音や振動の発生を抑えることができる。
【００１０】
本発明に係る杭抜取り補助装置は、土中の杭を抜き取る前段階で杭の周囲の土を軟化させるための杭抜取り補助装置であって、筒体と、前記筒体を回転させる回転装置とを有し、前記筒体は杭を包囲可能な大きさであって、外周に長さ方向に伸びる回転用係合部を有し、下端に挿入用爪を有し、前記回転装置は前記回転用係合部と係合して前記筒体を動力により回転させる構成を有することを、特徴とする。
【００１１】
本発明に係る杭抜取り補助装置は、挿入用爪を下にして筒体を鉛直にし、回転装置を筒体の回転用係合部と係合させる。次に、筒体の下端を杭頭の周囲に被せ、回転装置により筒体を回転させる。このとき、筒体の下端に挿入用爪を有しているため、容易に掘進することができる。こうして、筒体を杭の周囲に被せるように埋め込むことにより、筒体の内部の土と外部の土とを分離する。さらに、筒体を杭の周囲で回転させて、筒体の内部の杭の周囲の土を攪拌して軟化させる。これにより、クレーンなどで杭を容易に引き抜くことができる。本発明に係る杭抜取り補助装置は、杭打抜機やバイブロハンマーなどの振動発生装置を使用しないため、騒音や振動の発生を抑えることができる。
【００１２】
本発明に係る杭抜取り補助装置では、前記筒体は外周に排土用貫通孔と螺旋状の排土用羽根と給水管とを有し、前記給水管は前記筒体の長さ方向に沿って設けられ、放水ホースを接続可能な上端部と前記筒体の下方に水を噴射可能な下端部とを有することが好ましい。
この構成では、筒体を杭の周囲で回転させる際に筒体の下端から筒体の下方に水を噴射することにより、杭の周囲の土を水とともに攪拌して泥状にし軟化させることができる。なお、水は、筒体の中心軸線延長方向に噴射させることが好ましく、連続的に噴射させても間欠的に土砂を削る圧力で噴射させてもよい。また、筒体を土中で回転させるとき、筒体外周の螺旋状の排土用羽根により筒体周囲の土を上側に運び、排出することができる。このとき、筒体の内部の軟化した土も、排土用貫通孔から筒体の外部に排出されて、排土用羽根により上側に運ばれる。このように、杭の周囲の土を泥状に軟化させるとともに、筒体の周囲および内部の土の量を減らして、杭をさらに引き抜きやすくすることができる。
【００１３】
また、本発明に係る杭抜取り補助装置では、前記回転装置は車両から水平方向に伸びており、前記筒体を挿入させる挿入孔を有し、前記挿入孔の内周に前記回転用係合部と係合して動力により回転可能な駆動側係合部を有することが好ましい。この構成では、筒体を挿入孔に挿入して鉛直にし、駆動側係合部を回転用係合部と係合させる。筒体の下端を杭頭の周囲に被せて配置し、駆動側係合部により筒体を回転させて掘進し、杭の周囲に埋め込むことができる。このとき、回転装置が車両から水平方向に伸びて挿入孔の内周で筒体と係合するため、筒体をその上部で係合して回転させる場合に比べて、筒体を常に地表に近い位置で支持することができる。これにより、筒体の回転を安定させ、筒体がずれて杭に当たり、破損や故障の原因となるのを防ぐことができる。
【発明の効果】
【００１４】
本発明によれば、騒音や振動の発生を抑えることができる杭抜取り方法および杭抜取り補助装置を提供することができる。
【発明を実施するための最良の形態】
【００１５】
以下、図面に基づき、本発明の実施の形態について説明する。
図１乃至図６は、本発明の実施の形態の杭抜取り方法および杭抜取り補助装置を示している。
図１に示すように、杭抜取り補助装置は、筒体１０と回転装置２０とを備えている。
【００１６】
図２に示すように、筒体１０は、回転用係合部１１と挿入用爪１２と排土用貫通孔１３と排土用羽根１４と給水管１５と取付部１６とを有している。筒体１０は、抜き取る杭１の直径より大きい内径を有している。筒体１０は、複数をアーク溶接により縦に接続し、杭１の長さより長くなるよう形成されている。
【００１７】
回転用係合部１１は、筒体１０の外周に突出して一体的に設けられている。回転用係合部１１は、筒体１０の上端から下端付近まで、筒体１０の長さ方向に伸びている。回転用係合部１１は、筒体１０の中心軸に対して対称な位置に１対が形成されている。挿入用爪１２は、ダイヤモンドビットから成り、筒体１０の下端に設けられている。
【００１８】
排土用貫通孔１３は、筒体１０の外周に貫通して設けられている。排土用貫通孔１３は、筒体１０の長さ方向に、所定の間隔をあけて複数設けられている。排土用羽根１４は、筒体１０の下部の外周に螺旋状に突出して設けられている。給水管１５は、筒体１０の外側面に上端から下端まで長さ方向に沿って設けられている。給水管１５は、上端部に放水ホース２を接続し、下端部から筒体１０の下方に、筒体１０の外側から内側方向に斜めになるよう水を噴射可能に設けられている。取付部１６は、筒体１０の上端に一体的に設けられている。なお、図１に示すように、水は、水タンク３から高圧ポンプ４によりホース２ａに送られ、放水ホース２を介して給水管１５に供給される。
【００１９】
図３および図４に示すように、回転装置２０は、ベース２１と駆動リング２３と回転駆動部２４と回転チェーン２５と油圧装置２６と取付アーム２７とを有している。
【００２０】
ベース２１は、平面が矩形の板状である。ベース２１は、一端寄り中央部に円形の貫通孔２２を有している。駆動リング２３は、外周が貫通孔２２の内周と回転可能に係合している。駆動リング２３は、内側に筒体１０を挿入するための挿入孔２３ａを有している。駆動リング２３は、内周に凹状の駆動側係合部２３ｂを有している。駆動リング２３は内側の挿入孔２３ａに筒体１０を挿入可能であり、駆動リング２３に筒体１０を挿入したとき、駆動側係合部２３ｂは回転用係合部１１と係合可能となっている。
【００２１】
回転駆動部２４は、油圧装置２６から油圧管を通して供給される油圧によりチェーン車を回転可能にベース２１に取り付けられている。回転駆動部２４は、駆動リング２３の回転軸線と平行の回転軸線を中心として駆動リング２３と同一平面上で回転可能である。回転チェーン２５は、回転駆動部２４と駆動リング２３とに巻き掛けられ、回転駆動部２４の回転により駆動リング２３を回転させるようになっている。回転チェーン２５は、チェーンカバー２５ａにより覆われている。油圧装置２６は、回転駆動部２４の回転速度、回転方向、回転の始動および停止を制御可能である。取付アーム２７は、ベース２１の端面から垂直に伸びており、ベース２１を水平に保ってアースドリル機５などの車両本体に取り付け可能となっている。
【００２２】
次に、作用について説明する。
杭抜取り補助装置は、土中の杭１を抜き取る前段階で杭１の周囲の土を軟化させるために好適に用いられる。
この杭抜取り補助装置を用いて、以下の杭抜取り方法により杭１を抜き取る。
【００２３】
図５（ａ）に示すように、土中の杭１の杭頭１ａをバックホウ６で露出させる。
杭１の周囲に鉄板７を敷いて平坦かつ水平にし、アースドリル機５を設置する。取付アーム２７により、回転装置２０をアースドリル機５の本体から水平方向に伸びるよう取り付ける。図６に示すように、アースドリル機５のクレーン５ａの先端に取り付けられた吊下部５ｂに、筒体１０の取付部１６を取付部材５ｃにより取り付ける。筒体１０の給水管１５の上端部に、放水ホース２を接続する。なお、筒体１０は、その回転により吊下部５ｂが回転しないよう、スイベル５ｄを介して吊下部５ｂに取り付けられる。ホース２ａは、スイベル５ｄを介して放水ホース２に接続され、筒体１０が回転するとき、ねじれないようになっている。アースドリル機５のクレーン５ａで筒体１０を吊り下げ、筒体１０の下端を回転装置２０の挿入孔２３ａに挿入する。このとき、筒体１０は、鉛直に吊下げられ、回転用係合部１１が駆動側係合部２３ｂと係合する。
【００２４】
図５（ｂ）に示すように、筒体１０の下端を杭頭１ａの周囲に被せる。このとき、筒体１０の中心軸を杭１の中心軸と一致させることが好ましい。このため、杭１から直角２方向に設置した下げ振りにより、筒体１０の垂直性を常に目視で確認し、施工精度の向上に努める。図５（ｃ）に示すように、給水管１５の下端部から筒体１０の下方に、筒体１０の外側から内側方向に斜めになるよう水を噴射しながら、油圧装置２６からの油圧で回転駆動部２４を回転させ、回転チェーン２５を介して駆動リング２３を回転させる。駆動リング２３の回転により、駆動側係合部２３ｂと回転用係合部１１が係合した筒体１０を杭１の周囲で回転させ、杭１を押し込んで掘進する。このとき、筒体１０の下端に挿入用爪１２を有しているため、容易に掘進することができる。回転装置２０はアースドリル機５の本体から水平方向に伸びて挿入孔２３ａの内周で筒体１０と係合するため、筒体１０をその上部で係合して回転させる場合に比べて、筒体１０を常に地表に近い位置で支持することができる。これにより、筒体１０の回転を安定させ、筒体１０がずれて杭１に当たり、破損や故障の原因となるのを防ぐことができる。
【００２５】
このように、筒体１０を杭１の周囲に被せるように埋め込むことにより、筒体１０の内部の土と外部の土とを分離する。また筒体１０の外側から内側方向に斜めに水を噴射しながら筒体１０を杭１の周囲で回転させることにより、杭１の周囲の土を水とともに攪拌して泥状にし軟化させ、杭１と周囲の土との摩擦力を効率的に低下させることができる。
【００２６】
筒体１０を土中で回転させるとき、筒体１０の外周の螺旋状の排土用羽根１４により筒体１０の周囲の土を上側に運び、排出することができる。このとき、筒体１０の内部の軟化した土も、排土用貫通孔１３から筒体１０の外部に排出されて、排土用羽根１４により上側に運ばれる。このように、杭１の周囲の土を泥状に軟化させるとともに、筒体１０の周囲および内部の土の量を減らして、杭１をさらに引き抜きやすくすることができる。
【００２７】
筒体１０の内部で杭１が回転するのを確認した後、筒体１０を引き抜く。このとき、クレーン５ａの上端が所定の高さより高くなる場合には、相伴クレーンを用いて筒体１０を引き抜いてもよい。図５（ｄ）に示すように、杭頭１ａにワイヤー８を掛け、そのワイヤー８をクレーン５ａの先端に引っ掛ける。クレーン５ａを引き揚げれば、杭１を容易に引き抜くことができる。また、杭１が回転した後に筒体１０と杭１とを引き抜くことにより、杭１が容易に引き抜ける状態になったことを確認し、効率的に杭１を引き抜くことができる。
【００２８】
図５（ｅ）に示すように、杭１を抜いた後、杭１の破片などを取り除き、バックホウ６により空掘り部分を良質の掘削残土で埋め戻す。
この杭抜取り方法によれば、杭打抜機やバイブロハンマーなどの振動発生装置を使用しなくともよいため、騒音や振動の発生を抑えることができる。これにより、特に市街地などの人口密集地で、近隣の住民との間の騒音や振動のトラブルを防ぐことができる。
【図面の簡単な説明】
【００２９】
【図１】本発明の実施の形態の杭抜取り補助装置の使用状況を示す側面図である。
【図２】図１に示す杭抜取り補助装置の筒体を示す（ａ）正面図、（ｂ）上端面図である。
【図３】図１に示す杭抜取り補助装置の回転装置を示す平面図である。
【図４】図１に示す杭抜取り補助装置の回転装置を示す側面図である。
【図５】本発明の実施の形態の杭抜取り方法の手順を示す側面図である。
【図６】図１に示す杭抜取り補助装置の筒体上端の取付状態を示す拡大側面図である。
【符号の説明】
【００３０】
１    杭
１ａ  杭頭
２    放水ホース
３    水タンク
４    高圧ポンプ
５    アースドリル機
１０  筒体
１１  回転用係合部
１２  挿入用爪
１３  排土用貫通孔
１４  排土用羽根
１５  給水管
１６  取付部
２０  回転装置
２１  ベース
２２  挿入孔
２３  駆動側係合部
２４  回転駆動部
２５  回転チェーン
２６  油圧装置
２７  取付アーム
【図１】
2005200977.tif 000003
【図２】
2005200977.tif 000004
【図３】
2005200977.tif 000005
【図４】
2005200977.tif 000006
【図５】
2005200977.tif 000007
【図６】
2005200977.tif 000008